(57)【要約】      （修正有）【課題】一般家庭でも安心して使用できるガスを燃料とした小型で携帯に便利なカセット式ガス燃焼熱発電機を提供すること。【解決手段】磁性体ロ−タ−を、ガスの燃焼熱で加熱することを特徴としたガス燃焼熱発電機４において、バ−ナ−またはガスバ−ナ−５へのガスの供給に、カセットボンベ１を使用することを特徴とするカセット式ガス燃焼熱発電機４。【選択図】図１
2013198390.tif 000002
【特許請求の範囲】
【請求項１】
磁性体ロ−タ−を、ガスの燃焼熱で加熱することを特徴としたガス燃焼熱発電機において、バ−ナ−またはガスバ−ナ−（５）へのガスの供給に、カセットボンベ（１）を使用することを特徴とするカセット式ガス燃焼熱発電機。
【請求項２】
前記カセットボンベ（１）を装着する機能を具備したことを特徴とする請求項１記載のカセット式ガス燃焼熱発電機。
【請求項３】
前記バ−ナ−またはガスバ−ナ−（５）の点火および消火機能を具備したことを特徴とする請求項１記載のカセット式ガス燃焼熱発電機。
【請求項４】
前記バ−ナ−またはガスバ−ナ−（５）の燃焼位置移動機構（１２）を具備したことを特徴とする請求項１記載のカセット式ガス燃焼熱発電機。
【発明の詳細な説明】
【技術分野】
【０００１】  本発明は、カセット式ガス燃焼熱発電機に関するものである。
【背景技術】
【０００２】  近年、ガスの燃焼熱を利用したガス燃焼熱発電機が発明されているが、小型で携帯出来るカセット式ガス燃焼熱発電機の構成は明確化されていなかった。
【先行技術文献】
【特許文献】
【０００３】
【特許文献１】特開平２−１０６１８３（磁性流体熱機関）
【特許文献２】特開平６−１４１５７１（磁性体熱機関）
【特許文献３】特開平６−１４１５７２（磁性体エンジン）
【特許文献４】出願番号  特願２０１２−５３７３１
【特許文献５】出願番号  特願２０１２−５３７３２  ［提出日］平成２４年２月２２日  ［発明者］田中  強  ［発明の名称］ガス燃焼熱を電気に変換する方法およびガス燃焼熱発電機並びにガス燃焼熱発電機の製造方法
【非特許文献】
【０００４】
【非特許文献１】見城尚志著、（モ−タ−のＡＢＣ）、講談社出版、Ｐ１９６〜Ｐ１９９
【非特許文献２】神山新一著、（磁性流体入門）、産業図書出版、Ｐ１１３〜１１７
【発明の概要】
【発明が解決しようとする課題】
【０００５】  本発明は、従来の課題を解決し、一般家庭でも安心して使用できるガスを燃料とした小型で携帯に便利なカセット式ガス燃焼熱発電機を提供する目的からなされたものである。
【課題を解決するための手段】
【０００６】  上記の課題を解決する本発明は、以下の通りである。
磁性体ロ−タ−を、ガスの燃焼熱で加熱することを特徴としたガス燃焼熱発電機において、バ−ナ−またはガスバ−ナ−（５）へのガスの供給に、カセットボンベ（１）を使用することを特徴とするカセット式ガス燃焼熱発電機を提供できたものである。
【発明の効果】
【０００７】  本発明は、ガスの燃料容器に、日常家庭で使用されているカセットボンベを使用する事によって、小型で携帯に便利なカセット式ガス燃焼熱発電機を提供できたものである。【０００８】  カセットボンベは小型で携帯に便利で、ボンベの装着・脱着も簡便であり、幅広い年齢層で使用できる。【０００９】  カセットボンベは小型ながら燃焼時間は、最大火力で燃焼させた場合でも１時間以上の燃焼が可能な容量があり、緊急時に十分対応できる。【００１０】  現在一般的に市販されているカセットコンロの燃焼出力は、２８００Ｋｃａ／ｈ電力換算で３・３ｋｗ／ｈで燃焼熱の２０％が電気に変換できたと仮定すると、６６０ｗの電力が得られる事になり、レジャ−や災害時の緊急発電機として広く使用できるものである。【００１１】  本発明は東日本大震災、福島第一原子力発電所事故を契機に、災害時に、せめてテレビ１台、電球１個が使える低価格で安全な発電機を作りたい、そんな思いからなされたものであり、それを可能とするものである。
【図面の簡単な説明】
【００１２】
【図１】本発明のカセット式ガス燃焼熱発電機の実施例の平面図である。
【図２】本発明のカセット式ガス燃焼熱発電機の実施例の正面図である。
【図３】本発明のカセット式ガス燃焼熱発電機の他の実施例の平面図である。
【図４】本発明のカセット式ガス燃焼熱発電機の他の実施例の正面図である。
【発明を実施するための形態】
【００１３】  以下、本発明の実施の形態を図面に基づき詳細に説明する。
【００１４】  図１および図２をもって説明すると、本発明のカセット式ガス燃焼熱発電機の構成は、日常使用されているカセットコンロと同様に、カセットボンベ（１）をカセットボンベ装着機構（２）に装着し、器具せんつまみ（３）を操作してバ−ナ−またはガスバ−ナ−（５）へガスの供給および着火と停止をする、極めて簡便で安全なものである。
【００１５】  カセットボンベ装着機構（２）は、一般的にカセットボンベを機械的に固定する方式とマグネットで固定する方式があるが、実施においてはいずれも使用できる。
【００１６】  最近ではカセットボンベ（１）が確実に装着されているか否かを検知する検知装置や、ボンベ内の圧力が異常に上昇した場合に異常圧力を感知して、自動的にガスの供給を停止する安全装置が付帯されているものもあり、実施においてはこれらの安全装置を付帯すると事故を未然に防止できる。
【００１７】  本実施例は、回転方式の器具せんつまみ（３）を操作して、バ−ナ−またはガスバ−ナ−（５）へガスの供給および着火と停止をする簡便なものであるが、実施においてはこれに限られるものではなく、レバ−式やボタン式等様々な事ができる。
【００１８】  本実施例は、バ−ナ−またはガスバ−ナ−（５）のガス噴射口近傍に、電極（６）を設け、器具せんつまみ（３）を操作し圧電素子で高電圧を発生させて点火する圧電点火方式であるが、実施においては電極（６）の代わりにヒ−タ−に電流を流して点火する事もできるし、別の着火具をを用いて人手で行なう事もできる。
【００１９】  本実施例は、ガス燃焼熱発電機本体（４）からの電気出力を、ブレ−カ−（７）を介してコンセント（８）に接続したものであるが、この様にすると安全が確保でき使い勝手も良くなる。
【００２０】  カセットボンベ（１）が異常に加熱されると危険であるから、本実施例の様に遮熱板（９）を設けると異常加熱を防止できる。
【００２１】  カセットボンベ（１）が異常加熱する事は危険であるが、カセットボンベ（１）を適度な温度に加熱して維持するとボンベ内のガスの気化が促進され、燃焼が安定する効果も生じる。
【００２２】  実施においては、カセットボンベ（１）の異常加熱を感知し、自動的にカセットボンベ（１）を脱着してガスを停止することも出来る。
【００２３】  ガス燃焼熱発電機は動作原理上、起動時と安定運転時でバ−ナ−またはガスバ−ナ−（５）の燃焼位置を変えることで、熱効率を向上できる。
【００２４】  本実施例は、燃焼位置移動機構（１２）を設け操作レバ−（１３）を手動で操作する実施例であるが、実施においてはバ−ナ−またはガスバ−ナ−（５）を複数個にしたり、手動操作に代えて自動化することもできる。
【００２５】  図３は、磁性体ロ−タ−を水平にした本発明のカセット式ガス燃焼熱発電機の他の実施例の平面図であり、図４はその正面図である。
【００２６】  今後磁性体の研究開発が進み、磁化率が大きく、熱伝導率が大きく、更にキュリ−点近傍で磁化率が激減する磁性体が開発出来れば、ガスの燃焼熱の大半を電気に変換することが可能となるが、現時点では使用できる材料に制約があり発電効率は低い。
【００２７】  従って、発電以外に余った熱エネルギ−を手段を講じて積極的に活用した方が得策である。
【００２８】  実施においてはバ−ナ−またはガスバ−ナ−（５）の上部領域を他の加熱源として利用することもできる。
【００２９】  本実施例はいずれもカセットボンベ（１）とガス燃焼熱発電機本体（４）を並べて配置し、容器（１０）に収納した実施例であるが、実施においてはこれに限定されるものではなく、例えばカセットボンベ（１）をガス燃焼熱発電機本体（４）の下側に置いたり、あるいは、カセットボンベ（１）とガス燃焼熱発電機本体（４）を個別に切り離し、その間をガス配管で接続することも出来る。
【００３０】  本発明は燃料容器にカセットボンベ（１）を使用することを特徴としたものであるが、実施においては、カセットボンベの装着機構（２）以外に別のガス配管接続口を付帯すると、大型のガスボンベや都市ガスを使用する事も出来る。
【００３１】  図面には記載されていないが、ガス燃焼熱発電機本体（４）の周囲やカセットボンベ（１）の周囲にはカバ−をして安全に使用することができ、発火センサ−をつけて安全性を向上させることもできる。
【００３２】  本発明のカセット式ガス燃焼熱発電機は、一般ガスに限定されるものではなく、石油やアルコ−ル等の液体燃料や水素ガス等にも適応できるものである。
【００３３】  水素ガスは、燃料電池の普及と並行して生産量も増加しており、水素吸蔵合金の開発によりより安全に、より大量に保管できることから今後その利用が拡大していくものと思われ、本発明の燃料としても燃焼出力が大きく、環境保全上も極めて有効なものである。
【００３４】  本明細書に記述されている内容は、物の発明としてのカセット式ガス燃焼熱発電機だけではなく、ガス燃焼熱発電機の燃料容器として、カセットボンベを使用する燃料の供給方法やカセットボンベを用いて、カセット式ガス燃焼熱発電機を製造する製造方法も含まれており、これ等の方法の発明にも適応できるものである。
【符号の説明】
【００３５】  １  カセットボンベ
２  カセットボンベ装着機構
３  器具せんつまみ
４  ガス燃焼熱発電機本体
５  バ−ナ−またはガスバ−ナ−
６  電極
７  ブレ−カ−
８  コンセント
９  遮熱板
１０  容器
１１  ガス配管
１２  燃焼位置移動機構
１３  操作レバ−
１４  表示灯
１５  台座
【図１】
2013198390.tif 000003
【図２】
2013198390.tif 000004
【図３】
2013198390.tif 000005
【図４】
2013198390.tif 000006